(57)【特許請求の範囲】
【請求項１】
詳細音声情報を有する箇所であるホットスポットを識別する情報を含む音声情報に基く音声を提供する音声情報の提供方法において、
前記音声の提供に当たって前記ホットスポットの提供は前記ホットスポットでない箇所の提供とは異なった態様で行い、
利用者による前記ホットスポットの特定に応答して、特定された前記ホットスポットに対応する詳細音声情報に基く音声を前記利用者に提供し、
前記音声情報は、前記音声を生成するための音声データ情報と前記音声データから分離され前記ホットスポットを識別するホットスポット指定情報に分けて記録される
音声情報の提供方法。
【請求項２】
前記音声情報データと前記ホットスポット指定情報はそれぞれ別個のファイルに記録される請求項１に記載の音声情報の提供方法。
【請求項３】
前記音声情報データと前記ホットスポット指定情報は同一ファイル内の別の箇所に互いに分離して記録される請求項１に記載の音声情報の提供方法。
【請求項４】
前記ホットスポット指定情報は、各ホットスポットの始点情報、終点情報および詳細音声情報格納場所情報を含む請求項１〜請求項３の何れかに記載の音声情報の提供方法。
【請求項５】
前記ホットスポットの提供を前記ホットスポットでない箇所の提供とは異なった態様で行うことは、前記ホットスポットに対応する前記音声の音質を変化させること、前記ホットスポットであることを示す音声を重畳すること、機械的振動を提供すること、発光を行うことの何れかにより行われる請求項１〜請求項４の何れかに記載の音声情報の提供方法。
【請求項６】
前記利用者による前記ホットスポットの特定は、特定のボタンの付勢または前記利用者の発声により行われる請求項１〜請求項５の何れかに記載の音声情報の提供方法。
【発明の詳細な説明】
【０００１】
【産業上の利用分野】
本発明は音声による情報検索および情報提供に関する、より詳細には利用者の所望する情報を音声で提供する方法に関する。
【０００２】
【従来の技術】
近年インターネットの普及により様々な情報が、家庭を含む様々な場所からパーソナル・コンピュータを使って簡単に入手できるようになった。つまり世界中に張り巡らされたワールド・ワイド・ウェブを経由してブラウザにより簡単に情報の検索、入手が可能になった。インターネットで検索・表示された情報の中で、さらに詳細情報を含む語句は、そのことが認識できるように、アンダーラインを引いたりあるいは色を変えるなどの工夫をして表示されている。このように表示された語句を「ホットスポット」と呼ぶ。このホットスポットの上にポインタ（またはカーソル）を持ってきて、そこでマウスをクリックするとその語句にリンクされた詳細情報提供サイトにジャンプする。これによって、さらにホットスポットに関する詳細情報の入手が可能となる。
【０００３】
しかしながら、これらを実現するためにはパーソナル・コンピュータなどの端末機が必要である。端末機のない場所からは当然のことながら情報の検索・入手は出来ない。また、端末機があっても、目で見ながら手動で操作し指定していかないと検索できないのは当然であり、ハンデキャップのある人には利用できない場合がある。例えば、現在のブラウザではマウスを使って画面を見ながら指定することが前提になっている。目の見えない人には使えない。また、寝たきりの人にとっては、パーソナル・コンピュータの前に座って、マウスを操作しキーボードを叩くことは負担となる場合もある。これらの問題を解決するために、音声による情報を提供することが考えられる。
【０００４】
自動化された音声による情報提供は、省力化の要求とあいまって様々な分野で応用されている。しかしながら現状の電話による情報提供方法には、機能上の問題点があり音声情報提供の手段としては不十分である。この理由のひとつとして、上述のホットスポットを音声情報の中に含ませることが困難であることがあげられる。現在の音声情報の提供は簡単な番号案内あるいは、人間による応答までのつなぎの役割しか果していない。実際の音声情報提供を例にとって説明する。一例として音声による情報案内で説明する。これらの音声情報案内では、全体のメニュー提示をするときには「お客様のお住まいのエリアを発信音の後に入力してください、１．東京地区、２．神奈川地区、３．埼玉地区、４．千葉地区、５．山梨地区」とアナウンスされ、その後、発信音の後に利用者が該当する番号を入力していた。このような提供方法を用いる理由は、ホットスポットがメニューの音声情報の中に含まれていないためである。この方法の欠点はメニューの全体がわからないため、全部のメニューを最後まで聞く必要がある。また全部のメニューを聞いた後に番号を押すために必要な番号を記憶しておく必要がある。メニューが長くなると記憶違いによるエラーが発生する可能性がある。そのために、簡単なメニューしか提供できない。また、1つ前のメニューに戻る操作が面倒であるなど操作性上の問題もある。この様に現在の音声による情報提供方法は、機能上あるいは操作上の問題があり、必要な情報を広く深く、利用者のニーズに合わせて提供出来るものではない。
【０００５】
【発明が解決しようとする課題】
本発明の主目的は、音声情報提供において、利用者による必要情報の指定、検出、検索および提供に関して改善した方法及び装置を提案することである。本発明によれば、利用者の所望する幅広い内容的に対して詳しい音声情報を、容易な操作方法で提供で出来る。
本発明の他の目的はインターネット経由でブラウザを使って情報検索を行うことが出来るのと同じように、音声による情報検索および情報提供を実現するための方法及びシステムを提供することである。
【課題を解決するための手段】
【０００６】
これらの問題を解決するために、本発明では、提供する音声情報の中にホットスポットを含ませる。利用者は音声情報を聞きながらホットスポットを認識し、所望のホットスポットを指定することが出来る。音声情報提供手段は利用者によって指定されたホットスポットを検出し、ホットスポットで指定された語句に関する詳細情報が格納されている場所を特定する。音声情報提供手段は特定された格納場所を検索し、詳細情報を受信する。音声情報提供手段は受信された詳細情報を利用者に提供する。このとき提供される詳細情報には、同様にホットスポットが含まれているので、利用者はさらに詳細情報を指定できる。
【０００７】
これを実現するためには、提供する音声情報の中にホットスポットを含ませ、それが利用者にホットスポットであることを認識させる必要がある。このためにホットスポットの音声提供時には、そのことが認識できる音を重畳させる。あるいは、音声のトーンを変えることも出来る。例えば、本文は男性の声で提供しホットスポット部分は女性の声で提供することも出来る。さらには利用者の他の五感に訴えることも出来る。ホットスポットの音声提供時には、音声情報受信手段を機械的に振動させる、あるいは、ランプを点灯させることも可能である。
利用者が所望のホットスポットを指定するためには、利用者の発声音による制御も可能である。また音声情報受信手段がプッシュホン受話器である場合には、特定のボタンを押すことによって指定することも出来る。
【０００８】
【実施の形態】
まず、以下に説明する実施例で使われる音声ファイルについて説明する。図１に示すように、音声ファイルは音声データ及びホットスポット指定部から構成されている。音声ファイルの実施例として次の４つの例を挙げることが出来る。
１）１つの音声ファイル中、ファイルの先頭部分にホットスポット指定部をまとめて格納し、続いて音声データ部を格納する方法（図２A、音声ファイル実施例１）。
ホットスポット指定部にはヘッダ部、ホットスポットの始点情報、終点情報、詳細情報の格納場所情報などが含まれる（図２B)。ヘッダ部にはホットスポットのシーケンス番号などが含まれる。ホットスポットの始点情報には、ホットスポットの開始時間、あるいは直前のホットスポット終了から次のホットスポット開始までのバイト数などが含まれる。同様にホットスポットの終点情報には、ホットスポットの終了時間、あるいはホットスポット開始から終了までのバイト数などが含まれる。
【０００９】
２）１つの音声ファイル中に、音声データと、ホットスポット指定データとを分散して、格納する方法（図３A、音声ファイル実施例２)。
この場合、音声データ部とホットスポット指定部を区別するため、各ホットスポット指定部の最初の部分にスタートビット（複数）を付ける。スタートビットは特定のビットパターン（例えば１６進数でFF）とし、音声データには、この特定のビットパターンは使わないもとのする。そのビットパターンがデータ中にあらわれたときは、ホットスポット指定部の開始であると判断する。そのビットパターンの後に、そのホットスポット指定部で指定されるホットスポットの長さ情報、及びそのホットスポット指定部で指定される語句の詳細情報格納場所情報などが格納されている（図３B)。ホットスポットの長さの情報として、ホットスポットのバイト長、あるいは、ホットスポットの時間長などの情報を格納することが出来る。
【００１０】
３）音声データとホットスポット指定部を別のファイルとする方法。
例えば、音声データをYYY.auというファイルとし、ホットスポット指定部をXXX.hsという名前で格納し、音声情報提供手段が、両方のファイルを参照して、処理を行なう（図４、音声ファイル実施例３）。これらのファイルの内容は、音声ファイル実施例１、及び音声ファイル実施例２で示したものと同様である。
４）音声データとホットスポット指定データを別のファイルとし、音声データの指定及びホットスポット指定は、特定の記述言語で書かれたファイル中に記述する方法（図５、音声ファイル実施例４）。
この方法では、まず、音声情報提供手段は、その記述言語で書かれたファイルを音声情報格納手段からダウンロードし参照する。それには、音声データが格納されている場所（本実施例ではＵＲＬアドレス、ＵＲＬ:ユニフォーム・リソース・ロケータ以下、ＵＲＬ）とホットスポット指定情報とが含まれている。それにしたがって、音声情報検索手段を通じて音声情報格納手段から音声データを読み出し、ホットスポット処理を行なう。
以下に音声データとホットスポット指定のための言語の例を示す。これは、ワールドワイドウェブで使われているHTML言語に類似しているが、音声データの指定と、音声データ中のホットスポット指定を記述できるように記述方法を拡張してある。ここでは、この言語をHSML（HyperSpeech  Markup  Language)言語と呼ぶ。
【００１１】
−−−−−−−−HSML言語例（weather.hsml）−−−−−−−−
<HSML>
<HEAD>
<TITLE>明日の天気</TITLE>
</HEAD>
<BODY>
<AUDIO src="weather.au">
<AUDIOMAP>
<AUDIOAREA start="00:00:20" end="00:00:30" href="tokyo.au">
<AUDIOAREA start="00:00:35" end="00:00:45" href="kanagawa.au">
<AUDIOAREA start="00:00:50" end="00:01:00" href="weekly.hsml">
</AUDIOMAP>
</BODY>
</HSML>
【００１２】
このように記述されたファイルが、音声情報格納手段によって、例えば、weather.hsmlという名前で格納されている。上記、<HSML>と</HSML>で囲まれた部分はこの言語の始まりと終わりを示す。<HEAD>と</HEAD>で囲まれた部分は、ヘッダ部であることを示し、<TITLE>と</TITLE>で囲まれた部分は、タイトルを示し、<BODY>と</BODY>で囲まれた部分は、本文を示し、これらは、HTML言語と同様の定義である。本文中、<AUDIO src="weather.au">は、音声データの所在をしめしており、この場合、音声データのURLアドレスはweather.auであることを示している。<AUDIOMAP>と</AUDIOMAP>で囲まれた部分は、この部分が音声データに対するホットスポット指定データであることを示している。
【００１３】
<AUDIOAREAで始まる各行が、それぞれ、ホットスポット指定データである。はじめの行は、weather.auという音声データの０時間０分２０秒から０時間０分３０秒の間がホットスポットであり、そのホットスポットが指示されたとき、URLアドレスがtokyo.auである音声データを再生することを示している。次の行も同様に、weather.auという音声データの35秒から４５秒の間がホットスポットであり、そのホットスポットが指示されたとき、URLアドレスがkanagawa.auである音声データを再生することを示している。次の行は、weather.auという音声データの50秒から１分０秒の間がホットスポットであり、そのホットスポットが指示されたとき、URLアドレスがweelky.hsmlというHSML言語で書かれたファイルを解釈して実行することを示している。weelky.hsmlファイルには、weather.hsmlと同様に、音声データの所在の情報やホットスポット指定データが含まれている。
以上、音声ファイルのいくつかの構造の例について説明したが、以下これらを使った実施例について説明する。
【００１４】
（実施例１）
図６には、本発明で用いる音声情報格納手段（１１０）、音声情報検索手段（１５０）、音声情報提供手段（１２０）、音声情報伝達手段（１３０）、及び音声情報受信手段（１４０）が示されている。音声情報格納手段（１１０）には予め本発明に従ったフォーマットで音声ファイルが格納されている。音声情報提供手段（１２０）は、音声情報格納手段（１１０）に格納されている音声ファイルを受信し、受信した音声ファイルを音声情報に変換する。音声情報受信手段（１４０）へ提供するとき、詳細音声情報を有する語句（ホットスポット）の音声変換時には、詳細情報を有しない語句の音声変換時とは、利用者が識別できる手段で、音声情報受信手段（１４０）へ伝える（１２２）。次に利用者は音声情報提供手段（１２０）によって提供される音声情報の中で、利用者が詳細情報を検索したい所望の語句を検出したときには、その所望の語句を指定し音声情報提供手段（１２０）に伝える（１４２）。
【００１５】
音声情報提供手段（１２０）は利用者が指定した語句を検出し、指定された語句が格納されている場所を特定する。音声情報提供手段（１２０）は音声情報格納手段（１１０）を検索し（１２４）、音声情報格納手段（１１０）からの所望の音声ファイルを受信する（１１２）。音声情報提供手段（１２０）は音声ファイルを音声情報に変換し、利用者に提供する。音声ファイルを音声情報に変換するときには、前述と同様に、詳細音声情報を有する語句（ホットスポット）の音声変換時には、詳細情報を有しない語句の音声変換時とは利用者が識別できる手段で、音声情報受信手段（１４０）へ伝える。この操作を、利用者が所望の情報を入手するまで繰り返す。
本発明は、さらに音声情報伝達手段（１３０）として、公衆通信網、構内通信網あるいはその他の情報伝達手段を、音声情報検索手段（１５０）として、インターネット、イントラネットあるいはその他の情報検索手段を用いて容易に広範に適用可能である。
【００１６】
（実施例２）
図７に示されるように、実施例２では、音声情報検索手段としてインターネットで利用されるワールド・ワイド・ウエブ（２５０）を、音声情報伝達手段として公衆回線網（２３０）を、音声情報格納手段としてワールド・ワイド・ウエブに接続されている各サイト（２１０）を、音声情報提供手段として音声情報交換機（２２０）を、及び音声情報受信手段として公衆回線網に接続されている受話器（２４０）としている。
ワールド・ワイド・ウエブにおいて、ＵＲＬで指定される各サイトには、通常、画像情報、文書情報、音響情報などが格納されている。これらの情報は利用者へ送られ、利用者の端末機上で画像情報、文書情報、音響情報などが再生される。本実施例においては、図８に示されるように、各ＵＲＬのサイトには画像情報だけではなく複数の音声ファイル（３００）も格納されている。
【００１７】
図９には、音声情報交換機４００の機能ブロック図を示す。音声情報交換機４００は音声復号器４１０、及びホットスポット検出器４２０を有する。受話機（４４０）は公衆回線網に接続されている音声情報受信手段である。また、ワールド・ワイド・ウエブ・サイト（４３０）はワールド・ワイド・ウエブに接続されている音声情報格納手段である。各サイト（４３０）には複数の音声ファイルが格納されている（図８）。
音声復号器（４１０）はワールド・ワイド・ウエブに接続されている各サイト（４３０）からの音声ファイルを受信する（４１２）。受信した音声ファイルは音声ファイル分離ブロック（４３４）へ送られる。音声ファイルの中で音声データは音声信号合成ブロック（４３６）へ、ホットスポット指定部はホットスポット指定ブロック（４３８）、及びＵＲＬ特定ブロック（４５６）へそれぞれ送られる。音声データはＤ／Ａ変換ブロック（４３７）へ送られ、アナログ音声に変換され利用者へ送られる。音声情報を提供している時、ホットスポット部分になると、ホットスポット指定ブロックから音声信号合成ブロックへ信号が行く。音声信号合成ブロックは、ホットスポット指定ブロックからの信号を受け取ると、特定周波数の音を重畳するように音声信号を合成する。合成された音声信号はＤ／Ａ変換器へ送られ、特定周波数の音が重畳されたアナログ信号に変換され、利用者へ送られる（４２２）。あるいはアナログ信号に変換することなくデジタル信号として受話器へ送ることも出来る。
【００１８】
利用者は音声情報を聞きながら、詳細情報を知りたいホットスポットになると、それを指定する。図１１に示されるように、プッシュ信号検出ブロック（５４２）は利用者が入力した信号を検出する。その情報は信号合成ブロック（５４４）を経由して、ホットスポット検出器（４２０）へ送られる。図９に示すようにホットスポット検出器（４２０）は、利用者からの信号（４４２）を受信し、信号検出ブロック（４５４）は送られた信号の種類を特定する。ホットスポットが指定された場合には、信号がＵＲＬ特定ブロック（４５６）へ送られ、ＵＲＬ特定ブロック（４５６）は利用者が指定したホットスポットが格納されているＵＲＬを特定する。特定されたＵＲＬを用いて音声情報の検索を行う（４２４）。信号検出ブロック（４５４）へ他の制御信号が送られた場合には、目的に応じて音声復号器（４１０）の音声信号合成ブロック（４３６）あるいはホットスポット指定ブロック（４３８）へ信号が送られる。
図７をもとにした本発明が実行されるフローチャートを図１０に示す。
１０：受話器と音声情報変換機の接続
音声情報を得たい利用者はまず受話器２４０をダイヤルすることによって公衆回線網２３０を通じて音声情報交換機２２０へ接続する。
２０：利用者によるＷＷＷサイトの指定
利用者には、予め本サービスを開始するためのＷＷＷのサイトを指定する情報が与えられている。利用者はこの情報を入力する。
３０：音声情報変換機によるＷＷＷサイトのアクセス
音声情報交換機２２０は利用者の指示に従って、ワールド・ワイド・ウエブ２５０を経由して本サービスを開始するための情報が格納されている音声情報サーバ２１０をアクセスする（２２４）。
【００１９】
４０：音声ファイルの受信
音声情報交換機２２０はワールド・ワイド・ウエブ２５０を介して音声データ部とホットスポット指定部を含む音声ファイルを受け取る（２１２）。
５０：音声ファイルの音声変換および利用者への提供
受信された音声ファイルには、ホットスポットが含まれている。ホットスポットの音声には、それがホットスポットであることを利用者に伝えるために、認識できるような音声を重畳して提供する（２２２）。
６０：さらに詳細情報が必用？
もし、この音声情報が利用者の所望の情報であり、さらなる詳細情報が不要ならば、利用者の目的は達成されたことになり、これで音声情報の検索は終了する。そうではなく、さらに詳細情報が必要ならばステップ７０へ行く。
７０：利用者によるホットスポットの指定
利用者は、ホットスポットを認識しそれが詳細情報を聞きたい所望の語句である時にはプッシュホン受話器の「＊」を押す。詳細情報を有する語句（ホットスポット）の発音直後は間を置く。これは利用者がその語句を認識し反応するまでのタイムラグが必要なためである。
【００２０】
８０：ＵＲＬの検出
プッシュホン受話器の「＊」を押すことにより音声情報交換機（２２０）へ信号が送られる（２４２）。音声情報交換機２２０では利用者から指定されたホットスポットを検出し、それに対応するＵＲＬを特定する。
ステップ３０へもどり、ワールド・ワイド・ウエブ２５０を通じてそのＵＲＬに対応する音声ファイルが格納されているサイトをアクセスする（２２４）。
以下ステップ３０からステップ８０を繰り返すことにより、利用者は所望の音声による情報を入手することが出来る。
【００２１】
さらに、ステップ７０において、利用者は「＃」および「＊」と数字ボタンの組み合わせて使用することにより、様々な制御信号を音声情報交換機２２０に送ることが出来る。１例として、「＃０」：ホームページへ戻る。「＃＊１」：１つ前の、ホットスポットへ戻る、「＃＊２」：２つ前の、ホットスポットへ戻る、「＃１」：ホットスポットを１つスキップする、「＃２」：ホットスポットを２つスキップする等の制御信号を送ることができる。また「＊」と「＃」を同時に押すことによって音声情報交換機２２０からのメニュー・コントロール用の音声に移行することができる。この制御音声は１例として「前のページ、次のページ、またはホームページに戻ることができます」といったアナウンスがなされる。このとき「前のページ」、「次のページ」、「ホームページ」の個所がホットスポットになっている。
【００２２】
（実施例３）
実施例２では、音声情報交換機２２０から音声を提供する時に、ホットスポットであることを示すために特殊音を重畳した音声を提供する例を説明した。しかしながら、利用者にこのことを伝えるためには様々の方法が考えられる。特殊音を重畳する代わりに、本文全体は男性の発生音で作成し、ホットスポットの部分は女性の発生音へ変えることによって、それを伝えることも出来る。また聴覚に訴える音ではなく利用者の他の五感に訴えて、ホットスポットであることを伝えることが出来る。１実施例として受話器にバイブレータを取り付けることにより振動によって伝える事が出来る。あるいは、ランプ等を取付けることによりランプ等の点灯により視覚に訴えることもできる。
【００２３】
図１１に実施例を示す。図１１は受話器の内部ブロック図を示す。音声情報交換機から送られた信号（５１８）には、可聴音声信号だけではなくホットスポットの送信時には、人間の聴覚には聞こえない音が重畳されている。信号分離ブロック（５２２）で、その音を分離・検出する。分離された信号がトリガとなり、駆動ブロック（５２６）を通して、体感信号発生ブロック（５２８）が駆動される。体感信号発生ブロック（５２８）は、利用者に受話器を機械的に振動させることによって、現在提供されている語句がホットスポットであることを知らせる。体感信号発生ブロック（５２８）は機械的な振動には限らない。例えば、ランプの点灯によって利用者の視覚に訴えることも出来る。
【００２４】
（実施例４）
さらに、図１０に示すフローチャートのステップ７０において、発声音制御モードに切り替えることにより、プッシュホンのボタンを押す代わりに利用者の発声音によって制御することも出来る。実施例４では、「＊＊」と２回押すと、モードが切り替わり、利用者の発声音による制御が可能になる。そのときは「＃」を押す代わりに、「それ」と発声する。制御音声はこれ以外にも「まえ」、「つぎ」、「ホーム」等がある。
図９のブロック図を用いて説明する。受話器から「＊＊」と２回押すと発生音制御モードに切り替わる。制御信号である発声音が、ホットスポット検出器（４２０）内の信号検出ブロック（４５４）へ送られる。音声認識ブロック（４５６）は信号検出ブロック（４５４）から送られる信号を認識しその結果を信号検出ブロック（４５４）戻す。信号検出ブロック（４５４）は認識された信号に従って次のステップの処理を進める。
音声認識は上に述べたように単純な発声音のみを用い、既存の技術を適用することにより実施できる。これによりベットの上に寝ていて手足が不自由な状態でも情報検索及び情報入手が可能である。
【００２５】
（実施例５）
本発明は公衆回線網、ワールド・ワイド・ウエブに限定されることなく、幅広く応用できることは明らかである。上記以外の具体的な応用例として、製品のサポート・オフィス案内、天気情報などを直接音声で提供するなど、応用例には枚挙に暇がない。
本願発明により、ユーザの使い勝手も大幅に向上されることは明らかである。また、音声情報提供手段は公衆回線網を使い、音声情報検索手段、および音声情報格納手段は音声情報交換手段に内蔵することも出来る。ある製品のサポート・オフィス案内を例にとると次のようになる。「お客様のお住まいのエリアが読み上げられた時、＃を押してください、東京地区、神奈川地区、埼玉地区、山梨地区」とアナウンスされる。所望のエリアが読み上げられた時に、「＃」を押しそのエリアを指定しさらに詳細エリアを指定していく。これらの操作を繰り返すことによって、所望のサポート・オフィスの電話番号がより早く入手できる。「＃」を活用するとさらに効率よく選択できる。この時アナウンスされる文章は、普通の文章として記述できるので利用者はより自然に情報を探すことができる。
【００２６】
【発明の効果】
以上説明したように、本発明を用いると次のような効果が期待できる。
１）利用者の所望する音声情報の検索および提供が、容易な操作方法で、広い範囲の情報に対し、より詳細に出来る。本方法は、音声情報を提供する場合に広い応用範囲に応用できる。
２）利用者は、端末機がなくても音声情報受信手段さえあれば世界中に張り巡らされたワールド・ワイド・ウエブを介して、必要な情報の検索および入手が出来る。
３）ハンディキャップのある人も、音声情報受信手段さえあればワールド・ワイド・ウエブを介して必要な音声情報の検索・入手が出来る。
【図面の簡単な説明】
【図１】本発明の音声ファイルを示す図である。
【図２Ａ】本発明の音声ファイルの実施例１を示す図である。
【図２Ｂ】本発明のホットスポット指定部を示す図である。
【図３Ａ】本発明の音声ファイルの実施例２を示す図である。
【図３Ｂ】本発明のホットスポット指定部を示す図である。
【図４】本発明の音声ファイルの実施例３を示す図である。
【図５】本発明の音声ファイルの実施例４を示す図である。
【図６】本発明の実施例１を示す図である。
【図７】本発明の実施例２を示す図である。
【図８】本発明のワールド・ワイド・ウエブ・サイトを示す図である。
【図９】本発明の音声情報交換機の機能ブロック図である。
【図１０】本発明の好適実施例のフローチャート図である。
【図１１】本発明の受話器の機能ブロック図である。
【符号の説明】
１１０：音声情報格納手段
１２０：音声情報提供手段
１３０：音声情報伝達手段
１４０：音声情報受信手段
１５０：音声情報検索手段
２１０：ワールド・ワイド・ウエブのサイト
２２０：音声情報交換機
２３０：公衆回線網
２４０：公衆回線網に接続されている受話器
２５０：ワールド・ワイド・ウエブ
４１０：音声復号器
４２０：ホットスポット検出器
４３０：ワールド・ワイド・ウエブに接続されている各サイト
４３４：音声ファイル分離ブロック
４３６：音声信号合成ブロック
４３７：Ｄ／Ａ変換ブロック
４３８：ホットスポット指定ブロック
４５４：信号検出ブロック
４５６：ＵＲＬ特定ブロック
５２２：信号分離ブロック
５２８：体感信号発声ブロック
【図１】
0004197195.tif 000002
【図２Ａ】
0004197195.tif 000003
【図２Ｂ】
0004197195.tif 000004
【図３Ａ】
0004197195.tif 000005
【図３Ｂ】
0004197195.tif 000006
【図４】
0004197195.tif 000007
【図５】
0004197195.tif 000008
【図６】
0004197195.tif 000009
【図７】
0004197195.tif 000010
【図８】
0004197195.tif 000011
【図９】
0004197195.tif 000012
【図１０】
0004197195.tif 000013
【図１１】
0004197195.tif 000014